(57)【要約】【課題】  専用のサーバを設けること無く、監視カメラ等が撮像した映像をアップロードしてＷＡＮ上のサーバに保存でき、その保存された映像を携帯端末等にダウンロードして見ることができる映像情報管理システムを提供する。【解決手段】  ＷＡＮ２上に設けたサーバ１に映像データをアップロードする映像データ送信装置３と、サーバ１から映像データをダウンロードする映像データ受信装置５とを有し、映像データ送信装置３は、カメラ４が撮像した映像データを圧縮する映像圧縮部１１と、圧縮後の映像データを一時保管する映像データ保管部１２と、映像データに暗号鍵を付与する鍵付与部１３ｂと、映像データをサーバに出力する映像データ出力部１３とを備える一方、映像データ受信装置５は、サーバ１から映像データをダウンロードする映像データ受信部と、付与された暗号鍵を解除する鍵解除部と、映像データを表示する映像表示部とを備えている。【選択図】  図２
2010056894.tif 000002
【特許請求の範囲】
【請求項１】
ＷＡＮ上に設置されたサーバに映像データをアップロードする映像データ送信装置と、前記サーバから映像データをダウンロードする映像データ受信装置とを有し、
前記映像データ送信装置は、来訪者や不審者を撮像するためのカメラが接続され、前記カメラが撮像して出力した映像データを圧縮する映像圧縮部と、圧縮後の映像データを一時保管する映像データ保管部と、映像データに暗号鍵を付加する鍵付与部と、映像データを前記サーバに出力する映像データ出力部とを備えると共に、
前記映像データ受信装置は、前記サーバから映像データをダウンロードする映像データ受信部と、前記暗号鍵が付与された映像データを解読する鍵解読部と、前記鍵解読部が解読した映像データを表示する映像表示部とを備えて成ることを特徴とする映像情報管理システム。
【請求項２】
ＷＡＮ上に設置されたサーバに映像データをアップロードする映像データ送信装置と、前記サーバから映像データをダウンロードする映像データ受信装置とを有し、
前記映像データ送信装置は、来訪者や不審者を撮像するためのカメラが接続され、前記カメラが撮像して出力した映像データを圧縮する映像圧縮部と、圧縮後の映像データを一時保管する映像データ保管部と、映像データの名称に乱数を含むキーワードを添付する名称設定部と、名称設定された映像データを前記サーバに出力する映像データ出力部とを備えると共に、
前記映像データ受信装置は、前記サーバから映像データをダウンロードする映像データ受信部と、前記名称設定部で設定された名称を検索する検索部と、検索してダウンロードした映像データを表示する映像表示部とを備えて成ることを特徴とする映像情報管理システム。
【請求項３】
ＷＡＮ上には複数のサーバが設置されると共に、前記映像データ出力部は前記複数のサーバのアドレスを記憶し、映像データのアップロード先をその何れかに選択するサーバ選択部、及び選択したサーバに合わせてプロトコルを変更するプロトコル変更部を有し、
選択したサーバへのアップロード操作にエラーが発生した場合、前記映像データ出力部は、アップロード先のサーバを変更して映像データのアップロードを再実施することを特徴とする請求項１又は２記載の映像情報管理システム。
【請求項４】
前記映像データ出力部は、前記サーバにアップロードして保存された映像データをダウンロードして確認する送信確認部を有し、ダウンロードできなかった場合にアップロードエラー発生と判断してアップロード先のサーバを変更することを特徴とする請求項３記載の映像情報管理システム。
【請求項５】
前記映像データ出力部は、映像データをアップロードするサーバに対応するプロトコルをＷＡＮ経由で前記サーバから入手するプロトコル入手手段を有することを特徴とする請求項３又は４記載の映像情報管理システム。
【発明の詳細な説明】
【技術分野】
【０００１】
本発明は、防犯カメラや監視カメラの撮像映像を携帯端末等を使用して遠隔地で確認できる映像情報管理システムに関する。
【背景技術】
【０００２】
ＷＡＮの１つであるインターネットを利用して、カメラの撮像映像をインターネット上に配置したサーバにアップロードして保存し、任意の時刻に携帯端末等でサーバにアクセスして保存されている映像をダウンロードし、来訪者や不審者等を確認するシステムがある。
例えば、特許文献１に記載されたテレビインターホンシステムでは、留守中に来訪者があったら、撮像した来訪者映像をサーバにアップロードして保存され、携帯端末を使用して外出先からこのサーバにアクセスすることで、来訪者の録画画像をダウンロードして確認することを可能としている。
【特許文献１】特開２００３−２８３６９６号公報
【発明の開示】
【発明が解決しようとする課題】
【０００３】
しかしながら、上記特許文献１のシステムは、外出先から来訪者の録画画像を見ることができるが、インターネット上に設置されるサーバは専用のものが必要であったため、コストが掛かり容易に実施できるシステムではなかった。
【０００４】
そこで、本発明はこのような問題点に鑑み、専用のサーバを必要とせず、監視カメラ等が撮像した映像をアップロードしてＷＡＮ上に設けられた既存のサーバに保存でき、その保存された映像を携帯端末等にダウンロードして見ることができる映像情報管理システムを提供することを目的とする。
【課題を解決するための手段】
【０００５】
上記課題を解決する為に、請求項１の発明は、ＷＡＮ上に設置されたサーバに映像データをアップロードする映像データ送信装置と、サーバから映像データをダウンロードする映像データ受信装置とを有し、映像データ送信装置は、来訪者や不審者を撮像するためのカメラが接続され、カメラが撮像して出力した映像データを圧縮する映像圧縮部と、圧縮後の映像データを一時保管する映像データ保管部と、映像データに暗号鍵を付加する鍵付与部と、映像データをサーバに出力する映像データ出力部とを備えると共に、映像データ受信装置は、サーバから映像データをダウンロードする映像データ受信部と、暗号鍵が付与された映像データを解読する鍵解読部と、鍵解読部が解読した映像データを表示する映像表示部とを備えて成ることを特徴とする。
【０００６】
この構成によれば、カメラが撮像した映像を圧縮して一時保存しておき、実時間ではない任意のタイミングでインターネット等のＷＡＮ上のサーバへアップロードすることが可能となるため、圧縮時間や送信時間に囚われず、映像データの送信を実施でき、例えばインターネット上の汎用サーバが実施している無料動画配信サービスを利用することが可能となる。
その結果、専用のサーバを設置すること無く特定のカメラの撮像映像を携帯端末等で確認することができ、専用サーバを使用する構成に比べて大幅なコストダウンを実現できる。そして、暗号鍵が付与されるので、無料動画配信サービスを利用してもアップロードした映像を第三者が容易に見ることが難しくプライバシーを保護できる。
【０００７】
請求項２の発明は、ＷＡＮ上に設置されたサーバに映像データをアップロードする映像データ送信装置と、サーバから映像データをダウンロードする映像データ受信装置とを有し、映像データ送信装置は、来訪者や不審者を撮像するためのカメラが接続され、カメラが撮像して出力した映像データを圧縮する映像圧縮部と、圧縮後の映像データを一時保管する映像データ保管部と、映像データの名称に乱数を含むキーワードを添付する名称設定部と、名称設定された映像データをサーバに出力する映像データ出力部とを備えると共に、映像データ受信装置は、サーバから映像データをダウンロードする映像データ受信部と、名称設定部で設定された名称を検索する検索部と、検索してダウンロードした映像データを表示する映像表示部とを備えて成ることを特徴とする。
【０００８】
この構成によれば、カメラが撮像した映像を圧縮して一時保存しておき、実時間ではない任意のタイミングでインターネット等のＷＡＮ上のサーバへアップロードすることが可能となるため、圧縮時間や送信時間に囚われず、映像データの送信を実施でき、例えばインターネット上の汎用サーバが実施している無料動画配信サービスを利用することが可能となる。
その結果、専用のサーバを設置すること無く特定のカメラの撮像映像を携帯端末等で確認することができ、専用サーバを使用する構成に比べて大幅なコストダウンを実現できる。そして、映像データに乱数を含むキーワードが付加されて名称が設定されることにより、無料動画配信サービスを利用しても、キーワード検索することが難しく第三者が見ることが難しくプライバシーを保護できる。
【０００９】
請求項３の発明は、請求項１又は２に記載の発明において、ＷＡＮ上には複数のサーバが設置されると共に、映像データ出力部は複数のサーバのアドレスを記憶し、映像データのアップロード先をその何れかに選択するサーバ選択部、及び選択したサーバに合わせてプロトコルを変更するプロトコル変更部を有し、選択したサーバへのアップロード操作にエラーが発生した場合、映像データ出力部は、アップロード先のサーバを変更して映像データのアップロードを再実施することを特徴とする。
この構成によれば、アップロードにエラーが発生した場合は、アップロード先のサーバを変更することができるため、カメラの撮像映像が見られない事態を防ぐことができる。そして、その際変更先のサーバのプロトコルが異なっていても、プロトコルを変更することが可能なため、アップロード先のサーバが使用しているプロトコルに囚われずアップロードを実施できる。
【００１０】
請求項４の発明は、請求項３に記載の発明において、映像データ出力部は、サーバにアップロードして保存された映像データをダウンロードして確認する送信確認部を有し、ダウンロードできなかった場合にアップロードエラー発生と判断してアップロード先のサーバを変更することを特徴とする。
この構成によれば、送信状態をダウンロードすることで確認するので、エラーの発生を確実に認識でき、映像データは何れかのサーバに間違いなくアップロードされる。
【００１１】
請求項５の発明は、請求項３又は４に記載の発明において、プロトコル変更部は、映像データをアップロードするサーバに対応するプロトコルを、ＷＡＮ経由でサーバから入手することを特徴とする。
この構成によれば、映像データ出力部が出力しようとしている映像データが、アップロード先のサーバに対応するプロトコルで構成されていない場合でも、容易にプロトコルを変更でき、映像データを送信できる。
【発明の効果】
【００１２】
本発明によれば、圧縮時間や送信時間に捉われずアップロードをすることができるため、インターネット等のＷＡＮ上の汎用サーバが実施している無料動画配信サービスを利用して、特定のカメラの撮像映像を携帯端末等で確認でき、専用サーバを使用する構成に比べて大幅なコストダウンを実現できる。そして、暗号鍵等が付加されるので、無料動画配信サービスを利用してもアップロードした映像を第三者が容易に見ることが難しくプライバシーを保護できる。
【発明を実施するための最良の形態】
【００１３】
以下、本発明を具体化した実施の形態を、図面に基づいて詳細に説明する。図１は本発明に係る映像情報管理システムの構成を示す説明図であり、１は映像データを保存して管理するためにインターネット等のＷＡＮ２上に設置されたサーバ（第１サーバ１ａと第２サーバ１ｂ）、３はサーバ１にＷＡＮ２を介して映像データをアップロードする映像データ送信装置、４は映像データ送信装置に接続されたカメラ、５はＷＡＮ２を介してサーバ２から映像データをダウンロードする映像データ受信装置である。
【００１４】
〈第１実施形態〉
そして、図２は映像データ送信装置３のブロック図、図３は映像データ受信装置５のブロック図であり、本発明の第１実施形態を示している。図２に示すように、映像データ送信装置３は、カメラ４からのアナログ映像信号、若しくはデジタル映像信号を入力する映像入力部１０と、映像圧縮を行う映像圧縮部１１と、映像圧縮後のデータを一時保管する映像データ保管部１２と、映像データをＷＡＮ２へ出力する映像データ出力部１３と、利用者により設定された複数の出力先サーバを記憶するサーバ設定部１４とを備えている。そして、映像データ出力部１３は、アップロード先に応じてプロトコルの変更制御を行うプロトコル変更部１３ａ、アップロードする映像データに暗号鍵を付与する鍵付与部１３ｂを備えている。尚、ここでは、サーバ設定部１４において設定されたサーバ１は、第１サーバ１ａと第２サーバ１ｂであり、第１サーバを優先使用する設定となっている。
【００１５】
映像データ受信装置５は、図３に示すようにサーバ１から映像データをダウンロードする映像データ受信部１８と、接続先サーバを利用者が選択するためのサーバ選択部１９と、圧縮された映像の展開を行う映像展開部２０と、映像を表示する映像表示部２１とを備えている。そして、映像データ受信部１８は、ダウンロードした映像信号に付与されている暗号鍵を解除する鍵解除部１８ａを備えている。
【００１６】
このように構成された映像情報管理システムの動作は以下のようである。映像データ送信装置３の映像入力部１０は、カメラ４からＮＴＳＣ信号、またはＹＣｂＣｒデジタル信号が入力され、映像圧縮部１１の入力インターフェースへ適合する映像信号へフォーマット変換を行う。映像圧縮部１１は、映像圧縮部１１に予め設定された圧縮方式、例えばＨ．２６４、ＭＰＥＧ４などの圧縮コーデックを選択して入力された映像信号の圧縮を行い、映像データ保管部１２へ出力する。
映像データ保管部１２へ出力された映像データは、映像データ出力部１３に内蔵された鍵付与部１３ｂにより、暗号鍵を用いて暗号化した後にサーバ設定部１４にて設定された出力先である例えば第１サーバ１ａにＷＡＮ２を介してアップロードする。
【００１７】
尚、暗号鍵は、例えばパスワード付ｚｉｐファイルが使用できるし、映像のプロトコルを独自フォーマットにしても良い。また、映像データ出力部１３は、サーバ設定部１４にて設定された出力先サーバに対応する汎用サービスＡＰＩ等のプロトコルに従い映像データをフォーマットして出力する。
【００１８】
映像データ出力部１３は送信確認機能を有し、アップロードして第１サーバ１ａに保存された映像データはダウンロードして確認が成される。この確認操作はアップロードが終了した直後に実施され、ダウンロードした映像データは、映像データ保管部１２に保管されている映像データ（アップロードしたデータ）と比較され、確実にアップロード出来たか確認がなされる。これは、アップロード先に安価な汎用動画配信サービスを使用した場合、トラフィックが集中するとアップロードに失敗することがあるため、アップロードに失敗したか否かの確認作業を行うのが好ましいためで、映像データ出力部が自身がアップロードした映像データをダウンロードして読み込みを行なうことによって、正しく送信できたか確実に確認できる。
【００１９】
尚、この送信確認は、動画として全体を確認する必要はなく、動画を構成する最初のフレームのみ確認するだけでも良く、例えば３０フレーム／秒で映像が送信される場合は１／３０秒分の映像データを確認するだけでも良い。
【００２０】
そして、この確認の結果、アップロードした映像データが第１サーバ１ａに正しく保存できなかったことが判明した場合には、出力先のサーバ１ａは使用できないと判断して、アップロード先をサーバ設定部１４で登録した他のサーバ１である第２サーバ１ｂに移行する。このとき、送信する映像データがアップロード先のプロトコルに準拠していない場合は、プロトコル変更部１３ａによりアップロード先である第２サーバ１ｂからプロトコルをダウンロードしてフォーマットし直してアップロードを実施する。
【００２１】
図４はこの一連の流れを示している。最初に、映像データのアップロード先となるサーバ１を探し（Ｓ１）、確認したら映像データを送信して保存操作する（Ｓ２）。保存操作が終了したら、その保存データを今度は読み込み（Ｓ３）、保存操作前の映像データと比較し（Ｓ４）、合致したら読み込み成功と判断してアップロード操作を終了する（Ｓ５）。合致しなかったら読み込み失敗と判断して、サーバ設定部１４において設定されている新たなサーバ１を探し（Ｓ６）、映像データの保存操作（Ｓ２）を繰り返す。
【００２２】
尚、上記実施形態は、映像データをアップロードする時点でプロトコルを認識する構成となっているが、安価な汎用動画配信サービスでは、随時新設と廃止を繰り返しているし、既存の汎用動画配信サービスもプロトコルを変更することがあるため、登録されているアップロード先、及びそのサーバに対応する汎用サービスＡＰＩ等のプロトコルを定期的にチェックすることが望ましく、プロトコル変更があった場合はその時点でダウンロードしても良い。
【００２３】
こうしてサーバ１に保存された映像データは、次のように映像データ受信装置５でダウンロードされる。映像データ受信部１８は、サーバ選択部１９による設定に従って映像データ送信装置２が映像データをアップロードしたサーバ１にアクセスして、映像データの有無を確認する。ここでは、第１サーバ１ａにアクセスして映像データが存在することを確認する。映像データがあることを確認すると、映像データをダウンロードする。こうしてダウンロードされた映像データは暗号鍵により暗号化されているので、鍵解除部１８ａが解読鍵を用いてダウンロードされた映像データのファイルを解読し（暗号鍵を解除し）、映像展開部２０で解読された映像データが復号される。こうして、映像表示部２１でダウンロードした映像が表示される。
【００２４】
このように、カメラが撮像した映像を圧縮して一時保存しておき、実時間ではない任意のタイミングでインターネット等のＷＡＮ上のサーバへアップロードするため、圧縮時間や送信時間に囚われず、映像データの送信を実施でき、インターネット上の汎用サーバが実施している無料動画配信サービスを利用することが可能となる。その結果、専用のサーバを設置すること無く特定のカメラの撮像映像を携帯端末等で確認することができ、専用サーバを使用する構成に比べて大幅なコストダウンを実現できる。
そして、暗号鍵が付与されるので、無料動画配信サービスを利用してもアップロードした映像を第三者が容易に見ることが難しくプライバシーを保護できる。
【００２５】
また、アップロードにエラーが発生した場合は、アップロード先のサーバを変更して実施するので、カメラの撮像映像が見られない事態を防ぐことができる。その際、映像データ出力部が出力しようとしている映像データが、アップロード先のサーバに対応するプロトコルで構成されていない場合でも、容易にプロトコルを変更でき、映像データを送信できる。
更に、送信状態をダウンロードすることで確認するので、エラーの発生を確実に認識でき、映像データは何れかのサーバに間違いなくアップロードされる。
【００２６】
〈第２実施形態〉
図５は映像データ送信装置３の他の例を示すブロック図、図６は映像データ受信装置５の他の例を示すブロック図であり、本発明の第２の実施形態を示している。
映像データ送信装置３は、映像入力部１０と、映像圧縮部１１と、映像データ保管部１２と、映像データ出力部２５と、サーバ設定部１４とを有し、映像データ出力部２５には名称を自動設定する名称設定部２５ａ、乱数を発生する乱数発生部２５ｂが内蔵されている。尚、上記図２と同様の動作を行なうものについては、同一の符号を附して説明を省略する。また、システム全体の構成は上記図１と同様である。
【００２７】
名称設定部２５ａは、機器の製造番号等の固有番号を用いて他の機器と重複しないようなファイル名或いはタイトルを設定し、ＷＡＮを使用する他の一般利用者に検索され難いように、後述する方法により名称に冗長性を持たせる。映像データ出力部２５は、ファイル名或いはタイトルが設定されたら、ＷＡＮ２を介してサーバ１へ出力する。
この名称設定は、アップロード先のサーバが動画配信サービスを実施する汎用サーバである場合、ファイル名やタイトルが特定されると誰でも閲覧することができてしまう問題があるために行われるもので、アップロードする映像データのファイル名やタイトルを複雑にすることで、検索で特定され難くなる。
【００２８】
映像データ受信装置５は、映像データ受信部２６と、アクセスするサーバ１を利用者が設定するサーバ選択部１９と、圧縮された映像の展開を行う映像展開部２０と、映像を表示する映像表示部２１とを有し、映像データ受信部２６には、映像データの存在を検索する検索部２６ａが内蔵されている。尚、上記図３と同様の動作を行なうものについては、同一の符号を附して説明を省略する。
【００２９】
このように構成された映像情報管理システムの動作は以下のようである。カメラ４が撮像した映像は、映像入力部１０、映像圧縮部１１を介して映像データ保管部１２に伝送される。映像データ保管部１２へ出力された映像データは、映像データ出力部２５が名称を添付してＷＡＮ２に出力する。このとき、映像データ出力部２５は、内蔵された名称設定部２５ａにより、ファイルやタイトル等の名称にキーワードを添付すると共に乱数を用いて冗長性を持たせる。例えば、ファイル名に「ＳＡ  Ｍ  ＰＬＥ」というキーワードを付加し、２箇所のブランク部分に乱数発生部で発生させた１桁の数値をそれぞれ挿入し、例えば「ＳＡ７Ｍ２ＰＬＥ」として名称を作成し、アップロードする。アップロードされた映像データは、サーバ設定部１４にて設定された出力先である例えば第１サーバ１ａに保存される。
【００３０】
尚、映像データ出力部２５は、サーバ設定部１４にて設定された出力先サーバに対応する汎用サービスＡＰＩ等のプロトコルに従い映像データをフォーマットして出力する。
【００３１】
そして、映像データ出力部２５は、上記実施形態と同様に送信確認機能を有し、アップロードして第１サーバ１ａに保存された映像データはダウンロードして確認が成される。この確認の結果、アップロードした映像データが第１サーバ１ａに正しく保存できなかったことが判明した場合には、出力先のサーバ１ａは使用できないと判断して、アップロード先をサーバ設定部１４で登録した他のサーバ１である第２サーバ１ｂに移行する。尚、送信する映像データがアップロード先のプロトコルに準拠していない場合は、図示しないプロトコル変更部がアップロード先である第２サーバ１ｂからプロトコルをダウンロードしてフォーマットし直してアップロードを実施する。
【００３２】
サーバ１に保存された映像データは、映像データ受信装置５で次のようにダウンロードされる。映像データ受信部２６は、サーバ選択部１９の設定内容に従って、映像データ送信装置３が映像データをアップロードした所定のサーバ１（ここでは第１サーバ１ａ）にアクセスし、検索部２６ａが名称設定部２５ａで名づけたファイル名等の名称を推測して、部分検索等の検索方法で検索することにより、ファイルの有無を確認する。例えば、「ＳＡ  Ｍ  ＰＬＥ」の２箇所のブランクに任意の数値を順次入れて検索が成される。
検索の結果、「ＳＡ７Ｍ２ＰＬＥ」を有するファイル名の映像データがサーバ１に存在されていることを確認したら、映像データ受信部２６は映像データをダウンロードする。ダウンロードされた映像データは、映像展開部２０で復号され、表示部２１で映像が表示される。
【００３３】
このように、カメラが撮像した映像を圧縮して一時保存しておき、実時間ではない任意のタイミングでインターネット等のＷＡＮ上のサーバへアップロードするため、圧縮時間や送信時間に囚われず、映像データの送信を実施でき、インターネット上の汎用サーバが実施している無料動画配信サービスを利用することが可能となる。その結果、専用のサーバを設置すること無く特定のカメラの撮像映像を携帯端末等で確認することができ、専用サーバを使用する構成に比べて大幅なコストダウンを実現できる。
そして、映像データに乱数を含むキーワードが付加されて名称が設定されることにより、無料動画配信サービスを利用しても、キーワード検索することが難しく第三者が見ることが難しくプライバシーを保護できる。
【００３４】
尚、この第２実施形態ではファイル名等を特定のキーワードに乱数を加えて作成し、検索部がそのファイル名等を推測により検索しているが、サーバ設定部１４が検索部２６ａに対してファイル名等を通知することによって、検索を容易とする方法も好適である。
また、上記第１及び第２実施形態は、何れも映像データ送信装置３はカメラ４を別体としているが、一体の構成としても良い。
【産業上の利用可能性】
【００３５】
本発明の映像情報管理システムは、インターホンシステムに適用してカメラ４が来訪者を撮像するよう構成し、映像データ送信装置３をインターホン親機に接続或いは組み込み、映像データ受信装置５を携帯電話等の携帯端末とすれば、外出先で来訪者を確認できるため好適であるし、人感センサを備えたカメラ等が不審者を撮像した場合の映像データ管理に適用できる。更には、カメラの撮像映像に限らず、映像データを特定の相手に送信する場合に安価な送信システムとして使用できる。
【図面の簡単な説明】
【００３６】
【図１】本発明に係る映像情報管理システムの第１実施形態を示す概略図である。
【図２】図１の映像データ送信装置のブロック図である。
【図３】図１の映像データ受信装置のブロック図である。
【図４】映像データ送信装置の動作の流れを示すフローチャートである。
【図５】映像情報管理システムの第２実施形態を示す映像データ送信装置のブロック図である。
【図６】映像情報管理システムの第２実施形態を示す映像データ受信装置のブロック図である。
【符号の説明】
【００３７】
１・・サーバ、１ａ・・第１サーバ、１ｂ・・第２サーバ、２・・ＷＡＮ、３・・映像データ送信装置、４・・カメラ、５・・映像データ受信装置、１０・・映像入力部、１１・・映像圧縮部、１２・・映像データ保管部、１３・・映像データ出力部（送信確認部）、１３ａ・・プロトコル変更部、１３ｂ・・鍵付与部、１４・・サーバ設定部、１８・・映像デー受信部、１８ａ・・鍵解除部、１９・・サーバ選択部、２０・・映像展開部、２１・・映像表示部、２５・・映像データ出力部（送信確認部）、２５ａ・・名称設定部、２６・・映像データ受信部、２６ａ・・検索部。
【図１】
2010056894.tif 000003
【図２】
2010056894.tif 000004
【図３】
2010056894.tif 000005
【図４】
2010056894.tif 000006
【図５】
2010056894.tif 000007
【図６】
2010056894.tif 000008